(57)【要約】【課題】会員登録をしなくてもレシート・領収書の事後発行が可能な利便性に富むレシート・領収書発行システムを提供する。【解決手段】電子決済システムに用いる汎用的なＩＣカード３０１Ａにより取引を行った際にＩＣカード３０１Ａをユニークに識別するカード固有情報をカード読取機３０２Ａにより読み取り、当該取引の取引情報と関連付けて上位装置３０３Ａよりデータベースサーバ３０５に登録情報として登録し、後日、上位装置３０３ＢよりＩＣカードを使用した過去の取引に関するレシートや領収書の発行を要求する場合、カード読取機３０２Ｂにより読み取ったＩＣカード３０１Ｂ（＝３０１Ａ）のカード固有情報に関する取引情報の取得要求を、データベースサーバ３０５に送信し、当該カード固有情報に関する取引情報を、前記登録情報の中から抽出して、上位装置３０３Ｂに返送させ、利用者からの要求に応じてレシートや領収書の形式に編集して印刷する。【選択図】        図３
2010146054.tif 000002
【特許請求の範囲】
【請求項１】
ＩＣカードを使用して取引を行った際に該ＩＣカードに記録されている記録情報を読み取るカード読取機を接続した１ないし複数の上位装置と、前記ＩＣカードを使用した過去の取引に関するレシートや領収書の発行または過去の取引情報の照会を要求する端末装置と、前記上位装置からの取引情報を登録情報として登録するデータベースサーバとをネットワークを介して接続し、前記ＩＣカードを使用して取引を行った際のレシートや領収書を事後に発行することが可能なレシート・領収書発行システムにおいて、前記上位装置は、取引を行った際に使用した前記ＩＣカードをユニークに識別するために記録されているカード固有情報を読み取って、当該取引に関する取引情報と関連付けて、前記データベースサーバに送信することにより、前記データベースサーバに前記登録情報として登録させる一方、前記端末装置は、前記ＩＣカードの記録情報を読み取るカード読取機を備え、該カード読取機によって読み取った前記ＩＣカードの前記カード固有情報に関する取引情報の取得要求を、前記データベースサーバに送信することにより、前記データベースサーバより、当該カード固有情報に関する取引情報を、前記登録情報の中から抽出して、要求元の前記端末装置に返送させることを特徴とするレシート・領収書発行システム。
【請求項２】
前記端末装置は、前記データベースサーバより受信した前記カード固有情報に関する取引情報を、当該端末装置に画面表示することを特徴とする請求項１に記載のレシート・領収書発行システム。
【請求項３】
端末装置に画面表示された前記取引情報を、利用者からの指示に応じて、あらかじめ定めた標準のフォーマットあるいは利用者から指定されたフォーマットにしたがったレシートまたは領収書の形式に編集して、印刷出力することを特徴とする請求項２に記載のレシート・領収書発行システム。
【請求項４】
前記データベースサーバは、抽出した前記カード固有情報に関する取引情報を、取引内容に応じてあらかじめ登録されているフォーマットにしたがって、レシートまたは領収書の形式に編集して、要求元の前記端末装置に返送し、当該端末装置に画面表示することを特徴とする請求項１に記載のレシート・領収書発行システム。
【請求項５】
前記端末装置は、前記ＩＣカードの前記カード固有情報に関する取引情報の取得要求として、当該ＩＣカードを使用して取引を行った過去の取引情報の履歴を取得する要求を、前記データベースサーバに送信し、該データベースサーバから返送されてきた過去の取引情報の履歴を一覧形式で、画面表示することを特徴とする請求項１ないし４のいずれかに記載のレシート・領収書発行システム。
【請求項６】
前記端末装置は、画面表示された過去の取引情報の履歴の中から、利用者により印刷の指示がなされた取引情報を、印刷出力することを特徴とする請求項５に記載のレシート・領収書発行システム。
【請求項７】
前記ＩＣカードの前記カード固有情報は、FeliCa（登録商標）カードの製造番号であるＩＤｍ（Identifier manufacturing）またはＭＩＦＡＲＥ（登録商標）規格の個体識別情報であるＵＩＤ（Unique Identifier）のいずれかまたは双方からなることを特徴とする請求項１ないし６のいずれかに記載のレシート・領収書発行システム。
【請求項８】
前記端末装置は、前記上位装置のうちのいずれか、あるいは、利用者宅内に設置の端末、あるいは、レシート・領収書発行に専用の領収書発行端末、のいずれかであることを特徴とする請求項１ないし７のいずれかに記載のレシート・領収書発行システム。
【請求項９】
ＩＣカードを使用して取引を行った際に該ＩＣカードに記録されている記録情報中に含まれている当該ＩＣカードをユニークに識別するカード固有情報を読み取り、該カード固有情報と当該取引に関する取引情報とを関連付けてデータベースに登録し、利用者が使用する端末装置から前記ＩＣカードを使用した過去の取引に関するレシートや領収書の発行または過去の取引情報の照会を要求された際に、当該利用者のＩＣカードに記録された前記カード固有情報に基づいて、前記データベースの登録情報を検索して、当該カード固有情報に関する取引情報を抽出することを特徴とするレシート・領収書発行方法。
【請求項１０】
前記データベースより抽出した前記カード固有情報に関する取引情報を、利用者が使用する前記端末装置に画面表示することを特徴とする請求項１に記載のレシート・領収書発行方法。
【請求項１１】
画面表示された前記取引情報を、利用者からの指示に応じて、あらかじめ定めた標準のフォーマットあるいは利用者から指定されたフォーマットにしたがったレシートまたは領収書の形式に編集して、印刷出力することを特徴とする請求項１０に記載のレシート・領収書発行方法。
【請求項１２】
前記ＩＣカードの前記カード固有情報は、FeliCa（登録商標）カードの製造番号であるＩＤｍ（Identifier manufacturing）またはＭＩＦＡＲＥ（登録商標）規格の個体識別情報であるＵＩＤ（Unique Identifier）のいずれかまたは双方からなることを特徴とする請求項９ないし１１のいずれかに記載のレシート・領収書発行方法。
【請求項１３】
請求項９ないし１２のいずれかに記載のレシート・領収書発行方法をコンピュータにより実行可能なプログラムとして実施することを特徴とするレシート・領収書発行プログラム。
【請求項１４】
請求項１３に記載のレシート・領収書発行プログラムをコンピュータにより読み取り可能な記録媒体に記録していることを特徴とするプログラム記録媒体。
【発明の詳細な説明】
【技術分野】
【０００１】
本発明は、レシート・領収書発行システム、レシート・領収書発行方法、レシート・領収書発行プログラムおよびプログラム記録媒体に関し、特に、電子決済においてレシート・領収書を事後に発行可能とするレシート・領収書発行システム、レシート・領収書発行方法、レシート・領収書発行プログラムおよびプログラム記録媒体に関する。
【背景技術】
【０００２】
一般に、コンビニエンスストア等の店舗で商品を購入したときに、顧客が商品を購入した際の代金に関する領収書の発行を希望する場合、代金支払時に店頭において領収書の発行を依頼している。しかし、混雑時には店頭での領収書発行に手間取ったり、あるいは、代金支払時に領収書の発行依頼を忘れたりするという不都合が発生してしまう等、種々の理由から、レシートや領収書を発行されなかったり、あるいは、レシートや領収書が発行されたとしても購入者本人が受け取らなかったりする場合がある。
【０００３】
かかる場合に、購入者本人が、後日に、レシートや領収書が必要となったとしても、当人が、過去に購入した事実特定が困難であるため、レシートや領収書の発行あるいは再発行を行うことは困難であった。
【０００４】
しかし、民法第４８６条によると、「弁済をした者は、弁済を受領した者に対して受取証書の交付を請求することができる。」とあり、購入者のレシートや領収書の請求権が認められている。にもかかわらず、過去の或る取引について、後日、レシートや領収書の発行あるいは再発行を要求しても、当該取引を特定することが困難であるし、また、過去の取引時にレシートや領収書が既に発行されていたか否かを判別することも困難であった。
【０００５】
このような場合の対策として、例えば、特許文献１の特開２００３−２０３２７６号公報「領収書発行方法および領収書発行プログラム」のように、店頭における商品の代金支払時ではなく、商品購入の事後においても、領収書の発行依頼を行うことにより、領収書を入手することができる仕組みが提案されるようになってきている。
【特許文献１】特開２００３−２０３２７６号公報（第３−４頁）
【発明の開示】
【発明が解決しようとする課題】
【０００６】
しかしながら、前記特許文献１に記載のような構成を用いて、店頭でレシートや領収書を受け取らなかった場合に、後日、レシートや領収書を発行する仕組みを構築しようとすると、利用者と取引事実とを特定するためには、利用者を会員制などにして、何らかの個人情報の管理を行うことが必要であった。
【０００７】
また、後日、レシートや領収書を発行する従来の他の仕組みとして、会員制の店舗用ショッピングカードを利用するという仕組みも提案されている。この場合、該ショッピングカードを使用することにより、登録時の個人情報を用いた売上事実特定が可能である。しかし、サービス提供側は、顧客の囲い込みが可能である一方、不特定多数の膨大な個人情報を管理しなければならなくなるという問題があり、利用者側にとっても、該当の会員制のショッピングカードを取り扱っていない店舗ではサービスを受けられないという問題がある。
【０００８】
また、かくのごとき仕組みを構築する団体毎にそれぞれ独自に個人情報が管理されるため、各団体間の互換性もほとんど皆無な状態であり、利用者にとっては利便性が低いものであり、具体的に言えば、利用者は所属する団体の数だけ会員になる必要がある状況にある。
【０００９】
さらには、利用者が不要であれば、レシートや領収書を発行しないという仕組みがあれば、レシートや領収書用のシート用紙の節約に繋がるが、一方では、利用者には、民法第４８６条による領収書の請求権があるため、その権利を担保するという仕組みを併せ持つことが必要であった。
【００１０】
本発明は、かかる事情に鑑みてなされたものであり、実際の商品購入時に会員登録をしなくても決済処理に使用可能なＩＣカードを利用することにより、レシート・領収書の事後発行を可能とする、利便性に富むレシート・領収書発行システム、レシート・領収書発行方法、レシート・領収書発行プログラムおよびプログラム記録媒体を提供することを、その目的とする。
【課題を解決するための手段】
【００１１】
前述の課題を解決するため、本発明によるレシート・領収書発行システムは、次のような特徴的な構成を採用している。
【００１２】
（１）ＩＣカードを使用して取引を行った際に該ＩＣカードに記録されている記録情報を読み取るカード読取機を接続した１ないし複数の上位装置と、前記ＩＣカードを使用した過去の取引に関するレシートや領収書の発行または過去の取引情報の照会を要求する端末装置と、前記上位装置からの取引情報を登録情報として登録するデータベースサーバとをネットワークを介して接続し、前記ＩＣカードを使用して取引を行った際のレシートや領収書を事後に発行することが可能なレシート・領収書発行システムにおいて、前記上位装置は、取引を行った際に使用した前記ＩＣカードをユニークに識別するために記録されているカード固有情報を読み取って、当該取引に関する取引情報と関連付けて、前記データベースサーバに送信することにより、前記データベースサーバに前記登録情報として登録させる一方、前記端末装置は、前記ＩＣカードの記録情報を読み取るカード読取機を備え、該カード読取機によって読み取った前記ＩＣカードの前記カード固有情報に関する取引情報の取得要求を、前記データベースサーバに送信することにより、前記データベースサーバより、当該カード固有情報に関する取引情報を、前記登録情報の中から抽出して、要求元の前記端末装置に返送させるレシート・領収書発行システム。
【発明の効果】
【００１３】
本発明のレシート・領収書発行システム、レシート・領収書発行方法、レシート・領収書発行プログラムおよびプログラム記録媒体によれば、会員登録をしなくても決済処理を行うことができる汎用的なＩＣカードを、電子決済におけるレシート・領収書の事後発行に使用することを可能としているので、会員制の場合のような個人情報を管理する必要がなく、かつ、当該ＩＣカードの個体識別情報であるカード固有情報のみを利用する形態であるので、各店舗における取引処理を一元的に管理することができ、高い利便性を有するレシート・領収書の事後発行に関する仕組みを実現することができる。
【発明を実施するための最良の形態】
【００１４】
以下、本発明によるレシート・領収書発行システム、レシート・領収書発行方法、レシート・領収書発行プログラムおよびプログラム記録媒体の好適な実施例について添付図を参照して説明する。なお、以下の説明においては、本発明によるレシート・領収書発行システム、レシート・領収書発行方法について説明するが、かかるレシート・領収書発行方法をコンピュータにより実行可能なレシート・領収書発行プログラムとして実施するようにしても良いし、あるいは、レシート・領収書発行プログラムをコンピュータにより読み取り可能な記録媒体に記録するようにしても良いことは言うまでもない。
【００１５】
（本発明の特徴）
本発明の実施形態の説明に先立って、本発明の特徴についてその概要をまず説明する。本発明によるレシート・領収書発行システムは、会員登録をしなくても決済処理に使用することが可能な汎用的なＩＣカードを電子決済におけるレシート・領収書の事後発行に使用することを可能とし、而して、個人情報を管理する必要がなく、利便性に富む仕組みを実現していることをその主要な特徴としている。
【００１６】
つまり、本発明によるレシート・領収書発行システムは、電子決済システムで利用される汎用的なＩＣカードそれぞれをユニークに識別することが可能な固有の識別情報として各ＩＣカードに記録されているカード固有情報（例えば、非接触型ＩＣカードの個体識別番号であるFelica（登録商標）のＩＤｍ（Identifier manufacturing）やＭＩＦＡＲＥ（登録商標）規格準拠のＵＩＤ（Unique Identifier）等）を利用することにより、店頭や自動販売機などにおいて商品を購入した際に、レシートや領収書を受け取らなかった場合であっても、後日、改めてレシート・領収書を発行あるいは再発行を行うことができる一元的な仕組みを実現していることをその主要な特徴としている。
【００１７】
（本発明の実施例）
本発明は、前述のように、利用者が所持するＩＣカードのカード固有情報を利用することにより、利用者の個人情報を管理することなく、後日、利用明細の照会やレシート・領収書の発行を行うことを可能とするシステムを提供するものである。
【００１８】
図１は、本発明のレシート・領収書発行システムにおいて使用するＩＣカードの構成を示す概念図であり、一般に利用されているＩＣカードと同一の構成で良い。つまり、図１に示すように、ＩＣカード１００は、当該ＩＣカード１００の保持部材１０１とそれに搭載されるＩＣチップ１０２とによって構成され、ＩＣチップ１０２内には各種の記録情報２００が記録されている。ここで、本発明において使用されるＩＣチップ１００には、図２に示すような情報が記録される。図２は、本発明のレシート・領収書発行システムにおいて使用するＩＣカード１００内のＩＣチップ１０２に記録される情報の一例を示す説明図である。
【００１９】
図２に示すように、ＩＣチップ１０２に記録されている記録情報２００は、当該ＩＣカード１００をユニークに特定するための識別情報であるカード固有情報２０１と、実際の決済などにおいて使用される情報であるサービスＡ情報２０２、サービスＢ情報２０３、…で構成され、サービスＡ情報２０２、サービスＢ情報２０３、…は、ＩＣチップ１０２の記憶容量が許す範囲で複数のサービス情報を記録することが可能である。
【００２０】
一方、カード固有情報２０１とは、ＩＣカード１００一枚一枚ごとに異なるユニークな番号であり、具体的には、例えば、ＩＣカード１００として非接触ＩＣカードのFelica（登録商標）カードを用いる場合、Felicaカードの製造番号であるＩＤｍ（Identifier manufacturing）を、また、ＭＩＦＡＲＥ（登録商標）規格に準拠した非接触ＩＣカードを用いる場合、ＭＩＦＡＲＥ規格の個体識別番号であるＵＩＤ（Unique Identifier）に相当する情報を採用すれば良い。
【００２１】
図３は、本発明によるレシート・領収書発行システムのシステム構成の一例を示すシステム構成図であり、図２に示すような記録情報２００を記録したＩＣカード１００を利用して構成されるシステムの簡単な構成例を示している。
【００２２】
図３のレシート・領収書発行システムは、利用者が所持するＩＣカード３０１Ａ、ＩＣカード３０１Ｂと、ＩＣカード３０１Ａ、ＩＣカード３０１Ｂそれぞれの記録情報を読み取るカード読取機３０２Ａ、カード読取機３０２Ｂと、カード読取機３０２Ａ、カード読取機３０２Ｂの読み取り動作をそれぞれ制御する上位装置３０３Ａ、上位装置３０３Ｂと、レシート・領収書の発行に必要とする各種の情報を蓄積しているデータベースサーバ３０５と、上位装置３０３Ａ、上位装置３０３Ｂ、データベースサーバ３０５を相互に接続するネットワークである回線網３０６とから構成されている。
【００２３】
ここで、ＩＣカード３０１Ａ、ＩＣカード３０１Ｂそれぞれに搭載されているＩＣチップには、記録情報２００として、図２にて説明したようなカード固有情報２０１と、各種の決済に関する情報であるサービスＡ情報２０２、サービスＢ情報２０３、…とが記録されている。
【００２４】
カード読取機３０２Ａ、カード読取機３０２Ｂそれぞれは、ＩＣカード３０１Ａ、ＩＣカード３０１Ｂそれぞれが装着された際に、あるいは、ＩＣカード３０１Ａ、ＩＣカード３０１Ｂそれぞれが近接してかざされた際に、ＩＣカード３０１Ａ、ＩＣカード３０１ＢそれぞれのＩＣチップに記録されている記録情報２００を読み取って、上位装置３０３Ａ、上位装置３０３Ｂそれぞれに送信する。
【００２５】
上位装置３０３Ａ、上位装置３０３Ｂそれぞれは、情報を一時的に保存する記憶装置３０４Ａ、記憶装置３０４Ｂを内蔵しており、利用者が行った取引に関する情報を一時的に保存するとともに、ＩＣカード３０１Ａ、ＩＣカード３０１ＢそれぞれのＩＣチップに記録されている記録情報２００を読み取る指示を受け付けた場合、配下に接続しているカード読取機３０２Ａ、カード読取機３０２Ｂそれぞれの読み取り動作を制御して、それぞれから送信されてきたＩＣカード３０１Ａ、ＩＣカード３０１ＢそれぞれのＩＣチップに記録されている記録情報２００中のカード固有情報２０１を取引に関する情報に関連付けて、内蔵の記憶装置３０４Ａ、記憶装置３０４Ｂに一時保存する。
【００２６】
さらに、上位装置３０３Ａ、上位装置３０３Ｂそれぞれは、内蔵の記憶装置３０４Ａ、記憶装置３０４Ｂそれぞれに、まだ処理していない取引に関する情報が保存されていた場合、当該取引に関する情報とカード固有情報２０１とを付した登録要求を作成して、回線網３０６を介して、データベースサーバ３０５に送信する。
【００２７】
さらに、上位装置３０３Ａ、上位装置３０３Ｂそれぞれは、利用者から、レシート・領収書発行要求を受け付けた際に、カード読取機３０２Ａ、カード読取機３０２Ｂそれぞれに装着されたまたは近接しているＩＣカード３０１Ａ、ＩＣカード３０１ＢそれぞれのＩＣチップに記録されている記録情報２００中のカード固有情報２０１を読み取り、該カード固有情報２０１を付したレシート・領収書発行要求をデータベースサーバ３０５に対して送信する。また、レシート・領収書発行要求を送信した後、データベースサーバ３０５からレシート・領収書を受信した際に、該レシート・領収書を画面表示して、利用者に提示するとともに、当該利用者からの指示に応じて印刷する。
【００２８】
データベースサーバ３０５は、回線網３０６を介して、上位装置３０３Ａ、上位装置３０３Ｂから登録要求が送信されてきた際に、当該登録要求に付されているカード固有情報２０１と取引に関する情報とを、当該カード固有情報２０１のＩＣカード３０１を所持する利用者の取引に関する登録情報としてデータベースに登録する。
【００２９】
本レシート・領収書発行システムにおいて、データベースに登録される登録情報の一例を図４に示す。図４は、本発明によるレシート・領収書発行システムのデータベースサーバ３０５に登録される登録情報の一例を示す説明図であり、レシート・領収書の発行に必要とする情報として、上位装置３０３Ａ、上位装置３０３Ｂそれぞれからカード固有情報２０１を付した取引に関する情報として送信されてきた情報の一例を示している。
【００３０】
データベースサーバ３０５のデータベースに登録される登録情報４００は、図４に示すように、利用者が行った商品の購入などの取引に関する情報であり、店舗情報、購入時情報（購入日時、購入商品、決済金額、決済方法、…等）の取引情報４０２に、当該利用者が所持するＩＣカードを特定するためのカード固有情報４０１を付した形式とされている。
【００３１】
さらに、データベースサーバ３０５は、上位装置３０３Ａ、上位装置３０３Ｂからカード固有情報２０１を付したレシート・領収書発行要求が送信されてきた際に、当該レシート・領収書発行要求に付されているカード固有情報２０１に基づいて、データベースを検索して、該カード固有情報２０１に該当するカード固有情報４０１がデータベースに登録されているか否かを確認し、該当するカード固有情報４０１が登録されていた場合は、当該カード固有情報４０１が付されている取引情報４０２をデータベースから読み出して、レシート・領収書の形式に編集して、要求元の上位装置３０３Ａ、上位装置３０３Ｂに返送する。
【００３２】
なお、領収書の宛先を示す情報として、カード固有情報４０１のカード固有情報が記録されたＩＣカードを所持する利用者名を設定する場合、当該カード固有情報４０１を付した利用者問合せ情報を作成して、当該カード固有情報４０１のＩＣカードを発行したＩＣカード発行会社が運営するＩＣカード管理サーバへ送信して、該ＩＣカード管理サーバから、利用者名を返送してもらうことにより、設定することができる。
【００３３】
また、ここでは、データベースサーバ３０５側で、過去の取引情報４０２をレシートまたは領収書の形式に編集して、要求元の上位装置３０３Ａ、上位装置３０３Ｂへ返送する場合について説明するが、データベースサーバ３０５側では、単に、データベースに登録されている登録情報４００の中から、要求されたカード固有情報に該当する取引情報４０２を取り出して、そのまま、要求元の上位装置３０３Ａ、上位装置３０３Ｂへ返送して画面表示し、上位装置３０３Ａ、上位装置３０３Ｂ側で、印刷を要求された際に、レシートや領収書の形式に編集して印刷するようにしても良い。
【００３４】
（図３のレシート・領収書発行システムの動作の説明）
図３に示すレシート・領収書発行システムの動作の一例を、次に説明する。利用者は、まず、ＩＣカード３０１Ａを使って、上位装置３０３Ａが設置されている店舗において商品の購入等の何らかの取引処理をする。取引処理が終了すると、上位装置３０３Ａに接続されているカード読取機３０２Ａによって当該ＩＣカード３０１Ａの記録情報２００中のカード固有情報２０１が読み取られ、上位装置３０３Ａに内蔵の記憶装置３０４Ａ内に記録されるとともに、商品の購入の場合、図４に説明したように、取引に関する情報として、購入日時、購入商品、決済金額、決済方法、…等の購入時の情報が、カード固有情報２０１に関連付けられて上位装置３０３Ａに内蔵の記憶装置３０４Ａ内に記録される。
【００３５】
また、当該店舗において取引処理が完了した後に、該取引に関する情報のデータベースサーバ３０５への登録要求を、上位装置３０３Ａに指示すると、ＩＣカード３０１Ａのカード固有情報２０１とともに、取引に関係する取引情報として上位装置３０３Ａに内蔵の記憶装置３０４Ａに一時保存された取引情報は、回線網３０６を通して、データベースサーバ３０５に送信される。これにより、データベースサーバ３０５のデータベースに、図４に示すような取引に関する登録情報４００として登録される。ここで、データベースに登録される該登録情報４００は、当該取引を行った利用者を特定する情報であるカード固有情報４０１と、当該取引処理に関する取引情報４０２である。
【００３６】
後日、利用者が、自身の取引情報４０２を確認したい場合や過去の取引に関するレシートや領収書を取得したい場合に、実際に取引した店舗に設置されている上位装置３０３Ａのみならず、該上位装置３０３Ａとは異なる別の場所の上位装置例えば当該利用者宅の上位装置３０３Ｂを、ＩＣカード３０１Ａを使用した過去の取引に関するレシートや領収書の発行または過去の取引情報の照会を要求する端末装置として利用することも可能である。該上位装置３０３Ｂに接続されているカード読取機３０２Ｂに取引に利用したＩＣカード３０１Ａを装着するかあるいは近接してかざした状態にして、当該ＩＣカード３０１Ａのカード固有情報２０１に相当する過去の取引情報に関するレシート・領収書の発行要求を上位装置３０３Ｂに指示すると、上位装置３０３Ｂに接続されているカード読取機３０２Ｂによって当該ＩＣカード３０１Ａの記録情報２００中のカード固有情報２０１が読み取られ、当該カード固有情報２０１を付したレシート・領収書の発行要求が、上位装置３０３Ｂから、回線網３０６を介して、データベースサーバ３０５に送信される。
【００３７】
回線網３０６を介して上位装置３０３Ｂからのレシート・領収書の発行要求を受信したデータベースサーバ３０５は、取引情報を登録しているデータベースの登録情報４００を検索して、受信したレシート・領収書の発行要求に付されているカード固有情報２０１と一致するカード固有情報の取引情報４０２をデータベースの中から抽出して、当該取引情報４０２に関するレシート・領収書を作成して、要求元の上位装置３０３Ｂに返送する。
【００３８】
ここで、データベースサーバ３０５は、決済金額や決済方法等の取引内容や取引商品に応じてあらかじめ定めたレシートや領収書の標準フォーマットを有しており、レシート・領収書を作成する際に、抽出した取引情報４０２に該当する標準フォーマットに基づいてレシート・領収書を作成する。
【００３９】
さらには、データベースサーバ３０５は、レシート・領収書を作成した取引情報４０２についてレシート・領収書を作成して返送済みであることを示す情報（識別子）をデータベースの登録情報として設定するようにしても良い。これにより、上位装置３０３Ｂからのレシート・領収書の発行要求を受信した際に、レシート・領収書の発行要求に該当する取引情報４０２についてレシート・領収書作成済みの識別子が既に設定されているか否かを確認して、同一の取引情報４０２に関するレシート・領収書を複数枚発行しないように制御することも可能である。
【００４０】
なお、かくのごとく、レシート・領収書を複数枚発行することを抑止しようとする場合、店舗における実際の取引時に該取引に関する情報の登録要求を、上位装置３０３Ａからデータベースサーバ３０５に送信する際に、レシート・領収書が発行済みか否かを示す情報も該登録要求に付して送信し、データベースサーバ３０５は、該登録要求に付されてきたレシート・領収書作成済みの情報も含めて登録情報４００としてデータベースに登録する。
【００４１】
データベースサーバ３０５から、ＩＣカード３０１Ａのカード固有情報２０１の取引に関するレシート・領収書情報を受信した上位装置３０３Ｂは、該レシート・領収書情報を上位装置３０３Ｂの表示部に画面表示することによって、ＩＣカード３０１Ａの所有者である利用者に対して提示する。さらに、利用者からの指示に応じて、上位装置３０３Ｂは、画面表示しているレシート・領収書をシート用紙に印刷することもできる。
【００４２】
以上に説明したように、実際の取引に利用するＩＣカード（例えば、Felica（登録商標）カードやＭＩＦＡＲＥ（登録商標）規格準拠の非接触ＩＣカード等）を、本レシート・領収書システムにおいても利用することにより、当該ＩＣカードを用いた取引に関する過去の情報を素早く探索することができるとともに、取引当日ではない後日においても、必要に応じて、過去の取引情報をベースにて、レシートや領収書の発行あるいは再発行を行うことが可能である。
【００４３】
なお、前述の説明においては、データベースサーバ３０５に対してレシート・領収書の発行要求を送信し、データベースサーバ３０５において、取引方法や取引商品毎にあらかじめ定めた標準フォーマットにしたがってレシート・領収書を作成して、要求元の上位装置３０３Ｂに返送する場合について説明したが、前述したように、レシート・領収書の作成処理を、上位装置３０３Ｂ側で行うようにしても良い。例えば、データベースサーバ３０５に対するレシート・領収書の発行要求には、データベースサーバ３０５側でレシート・領収書の作成を行うか、上位装置３０３Ｂ側でレシート・領収書の作成を行うかのいずれであるかを指定するようにして、後者を指定した場合には、データベースサーバ３０５からはデータベース中から抽出した取引情報を、そのままの形式で、要求元の上位装置３０３Ｂへ返送するようにしても良い。
【００４４】
つまり、後者を指定した場合は、上位装置３０３Ｂからデータベースサーバ３０５に対しては、ＩＣカード３０１Ａのカード固有情報２０１を付したレシート・領収書の発行要求ではなく、カード固有情報２０１に該当する過去の取引情報の取得要求として送信することになり、上位装置３０３Ｂは、データベースサーバ３０５から返送されてきた該当の取引情報について、利用者からの指示により印刷を行う際に、あらかじめ定めた標準フォーマットあるいは利用者から指定されたフォーマットにしたがって、レシート・領収書を作成することになる。例えば、領収書の宛先として、当該カード固有情報２０１のＩＣカード３０１Ａの所有者ではない第三者例えば会社名を指定したい場合などにおいては、利用者から指定されたフォーマットを利用することが有効であり、利用者から指定された会社規定のフォーマットに基づいて、かつ、指定された宛先情報に基づいて、領収書を作成するように指定することができる。さらに、上位装置３０３Ｂは、レシート・領収書の印刷を要求された場合に、複数枚に亘って印刷しないように制御することを可能にしても良い。
【００４５】
（本発明の他の実施例）
図３に示したシステム構成例においては、回線網３０６を用いた広域のレシート・領収書発行システムの例を示したが、取引を行った場所例えばデパートのような店舗内のみで利用履歴の照会やレシート・領収書の発行を行うような場合は、店舗内に設置したデータベースサーバや上位装置内の記憶装置に、利用したい情報例えば取引情報を蓄積しておき、当該店舗内に設置したローカルエリアネットワークを用いたシステム構成とすることも可能である。
【００４６】
図５は、本発明によるレシート・領収書発行システムのシステム構成の図３とは異なる例を示すシステム構成図であり、店舗内等の比較的狭い領域におけるローカルネットワークを用いたシステム構成例を示している。
【００４７】
図５のレシート・領収書発行システムは、利用者が所持するＩＣカード５０１Ａ、ＩＣカード５０１Ｂと、ＩＣカード５０１Ａ、ＩＣカード５０１Ｂそれぞれの記録情報を読み取るカード読取機５０２Ａ、カード読取機５０２Ｂと、カード読取機５０２Ａ、カード読取機５０２Ｂの読み取り動作をそれぞれ制御する上位装置５０３、領収書発行端末５０７と、レシート・領収書の発行に必要とする各種の情報を蓄積しているデータベースサーバ５０５と、上位装置５０３、領収書発行端末５０７、データベースサーバ５０５を相互に接続するネットワークであるローカルエリアネットワーク５０６とから構成されており、上位装置５０３、領収書発行端末５０７それぞれには、内蔵の記憶装置５０４、記憶装置５０８が備えられ、さらに、領収書発行端末５０７にはプリンタ５０９が接続されている。
【００４８】
つまり、図５のレシート・領収書発行システムは、図３のレシート・領収書発行システムにおける回線網３０６、上位装置３０３Ｂの代わりに、ローカルエリアネットワーク５０６、領収書発行端末５０７を用いた構成からなっており、図３の場合のような広い領域ではなく、店舗内のような比較的狭い領域をカバーするシステムであり、かつ、図３の場合のように、データベースサーバ３０５にてレシート・領収書の作成処理を行うのではなく、上位装置３０３Ｂの代わりに配置した領収書発行端末５０７にてレシート・領収書の作成処理を行う場合を示している。また、店舗内の各所に設定される上位装置３０３Ａのような端末装置には、領収書印刷用のプリンタを配置する必要はなく、領収書発行端末５０７のみにプリンタ５０９を接続して領収書の印刷処理を行う場合を示している。
【００４９】
ここで、ＩＣカード５０１Ａ、ＩＣカード５０１Ｂそれぞれに搭載されているＩＣチップには、図３の場合と同様、記録情報２００として、図２にて説明したようなカード固有情報２０１と、商品の購入等の各種の決済に関する情報であるサービスＡ情報２０２、サービスＢ情報２０３、…とが記録されている。
【００５０】
また、データベースサーバ５０５のデータベースに登録される登録情報は、図３のデータベースサーバ３０５の場合と同様、図４に示すように、利用者が行った商品の購入などの取引に関する情報であり、店舗情報、購入時情報（購入日時、購入商品、決済金額、決済方法、…等）の取引情報４０２に、当該利用者が所持するＩＣカードを特定するためのカード固有情報４０１を付した形式とされている。
【００５１】
（図５のレシート・領収書発行システムの動作の説明）
図５に示すレシート・領収書発行システムの動作の一例を、次に説明する。利用者は、まず、店舗において何らかの商品の購入等を行い、ＩＣカード３０１Ａを使って、代金の支払処理を行う。支払処理が終了すると、当該店舗内に設置されている上位装置５０３に内蔵の記憶装置５０４に商品の購入に関する情報が取引情報として一時保存されるとともに、使用した当該ＩＣカード３０１Ａに記録されているカード固有情報２０１が、当該上位装置５０３に接続されたカード読取機５０２Ａにより読み取られて、上位装置５０３に内蔵の記憶装置５０４に、前記取引情報と関連付けられて一時保存される。
【００５２】
また、当該店舗において代金の支払処理が完了した後に、当該取引に関する情報のデータベースサーバ３０５への登録要求を、上位装置３０３Ａに指示すると、ＩＣカード３０１Ａのカード固有情報２０１とともに、上位装置３０３Ａに内蔵の記憶装置３０４Ａに一時保存された取引情報は、ローカルエリアネットワーク５０６を通して、データベースサーバ５０５に送信されて、データベースサーバ５０５のデータベースに、図４に示すような取引に関する登録情報４００として登録される。ここで、データベースに登録される該登録情報４００は、当該取引を行った利用者を特定する情報であるカード固有情報４０１と、当該取引処理に関する取引情報４０２である。
【００５３】
なお、上位装置５０３は、代金の支払処理が終了した時点で、レシート・領収書の発行処理は行わない。つまり、利用者からの要求がない限り、当該利用者に対してレシート・領収書の発行処理を行わなくても構わない。要求された場合には、当該店舗内に設置されている領収書発行端末３０７によって、レシート・領収書の発行処理を行い、該レシート・領収書を印刷する。
【００５４】
後日、利用者が、当該商品購入の支払代金に関する領収書の発行処理を要求したい場合、当該利用者は、購入時に実際に使用された上位装置５０３ではなく別の場所にある領収書発行端末５０７を利用する。該領収書発行端末５０７には、カード読取機５０２Ｂ以外に領収書印刷用のプリンタ５０９も接続されている。
【００５５】
利用者は、実際の商品購入時に使用したＩＣカード５０１Ａをカード読取機５０２Ｂに装着するかあるいは近接してかざした状態にして、当該ＩＣカード５０１Ａのカード固有情報２０１に相当する過去の取引情報に関するレシート・領収書の発行要求を領収書発行端末５０７に指示すると、領収書発行端末５０７に接続されているカード読取機５０２Ｂによって当該ＩＣカード５０１Ａの記録情報２００中のカード固有情報２０１が読み取られ、領収書発行端末５０７に入力される。
【００５６】
ＩＣカード５０１Ａのカード固有情報２０１を受け取った領収書発行端末５０７は、該カード固有情報２０１を付した取引情報取得要求を、ローカルエリアネットワーク５０６を介して、データベースサーバ５０５に送信する。領収書発行端末５０７からの取引情報取得要求を受け取ったデータベースサーバ５０５は、取引情報を登録しているデータベースの登録情報４００を検索して、受信した取引情報取得要求に付されているカード固有情報２０１と一致するカード固有情報の取引情報４０２をデータベースから抽出して、商品購入時の決済情報として、要求元の領収書発行端末５０７に返送する。
【００５７】
データベースサーバ５０５からの商品購入時の決済情報を受け取った領収書発行端末５０７は、該決済情報（取引情報）を記憶装置５０８に一旦保存するとともに、当該領収書発行端末５０７の表示部に画面表示して、利用者に提示する。さらに、利用者からの指示に応じて、領収書発行端末５０７は、画面表示している決済情報（取引情報）を、あらかじめ定めた標準のフォーマットあるいは利用者から指示されたフォーマットにしたがって、レシート・領収書の形式に編集して、プリンタ５０９からシート用紙に印刷する。
【００５８】
なお、前述した説明においては、商品購入時に実際に使用したＩＣカード５０１Ａを利用して商品購入を行った後において当該商品購入に関するレシート・領収書を発行する場合について説明したが、利用者が所持するＩＣカード５０１Ｂについて、当該ＩＣカード５０１Ｂを使用して過去に商品の購入を行った取引情報履歴を照会することにより、データベースサーバ５０５に登録情報４００として登録されている取引情報の履歴をすべて抽出して、当該利用者に提示させるように動作することも可能である。
【００５９】
かかる場合は、領収書発行端末５０７のカード読取機５０２ＢにＩＣカード５０１Ｂのカード固有情報２０１を読み取らせて、該カード固有情報２０１を付した取引情報履歴の取得要求を、領収書発行端末５０７からデータベースサーバ５０５に送信することにより、データベースサーバ５０５のデータベースの登録情報４００を検索し、取引情報履歴の取得要求に付されたカード固有情報２０１と一致する取引情報のすべてを取引情報履歴として抽出して、領収書発行端末５０７の表示部に一覧形式で画面表示させる。
【００６０】
さらに、利用者は、必要に応じて、画面表示された取引情報履歴の一覧の中から、レシート・領収書の発行を要求する取引情報を選択して、レシート・領収書の形式で印刷させることも可能である。このとき、使用したＩＣカード５０１Ｂに複数のサービスＡ情報２０２、サービスＢ情報２０３、…が記録されていたとしても、カード固有情報２０１のみに基づいて取引情報履歴を検索するようにしているので、一元的に管理することができ、高い利便性も得られる。
【００６１】
さらに、前述した説明においては、利用者は、領収書発行端末５０７に接続されたカード読取機５０２Ｂに商品購入時に使用したＩＣカード５０１Ａのカード固有情報２０１を読み取る場合を説明したが、場合によっては、購入した商品名や購入日時などの情報を領収書発行端末５０７に入力して、実際の商品購入時に使用したＩＣカード５０１Ａのカード固有番号をデータベースサーバ５０５に対して照会するようにしても良い。
【００６２】
かかる場合は、データベースサーバ５０５にて、入力された商品名や購入日時などの情報に基づいて、データベースに登録されている登録情報を検索して、該当する取引情報つまり商品購入時の決済情報を、領収書発行端末５０７に返送することにより、該商品購入時の決済情報を領収書発行端末５０７に画面表示し、利用者に提示することが可能である。
【００６３】
また、本発明は、前述したようなレシート・領収書の事後発行を行う場合のみならず、過去の商品購入等の取引情報を単に照会するという用途に利用することも可能である。さらには、商品購入時にレシートや領収書の発行を要求しないで、レシートや領収書の入手が必要な利用者が、当該利用者が利用することが可能な専用の端末装置を利用して、必要な分、レシートや領収書を印刷するという用途にも適用することができる。
【００６４】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。例えば、本発明の実施態様は、課題を解決するための手段における構成（１）に加えて、次のような構成として表現できる。
（２）前記端末装置は、前記データベースサーバより受信した前記カード固有情報に関する取引情報を、当該端末装置に画面表示する上記（１）のレシート・領収書発行システム。
（３）端末装置に画面表示された前記取引情報を、利用者からの指示に応じて、あらかじめ定めた標準のフォーマットあるいは利用者から指定されたフォーマットにしたがったレシートまたは領収書の形式に編集して、印刷出力する上記（２）のレシート・領収書発行システム。
（４）前記データベースサーバは、抽出した前記カード固有情報に関する取引情報を、取引内容に応じてあらかじめ登録されているフォーマットにしたがって、レシートまたは領収書の形式に編集して、要求元の前記端末装置に返送し、当該端末装置に画面表示する上記（１）のレシート・領収書発行システム。
（５）前記端末装置は、前記ＩＣカードの前記カード固有情報に関する取引情報の取得要求として、当該ＩＣカードを使用して取引を行った過去の取引情報の履歴を取得する要求を、前記データベースサーバに送信し、該データベースサーバから返送されてきた過去の取引情報の履歴を一覧形式で、画面表示する上記（１）ないし（４）のいずれかのレシート・領収書発行システム。
（６）前記端末装置は、画面表示された過去の取引情報の履歴の中から、利用者により印刷の指示がなされた取引情報を、印刷出力する上記（５）のレシート・領収書発行システム。
（７）前記ＩＣカードの前記カード固有情報は、FeliCa（登録商標）カードの製造番号であるＩＤｍ（Identifier manufacturing）またはＭＩＦＡＲＥ（登録商標）規格の個体識別情報であるＵＩＤ（Unique Identifier）のいずれかまたは双方からなる上記（１）ないし（６）のいずれかのレシート・領収書発行システム。
（８）前記端末装置は、前記上位装置のうちのいずれか、あるいは、利用者宅内に設置の端末、あるいは、レシート・領収書発行に専用の領収書発行端末、のいずれかである上記（１）ないし（７）のいずれかのレシート・領収書発行システム。
（９）ＩＣカードを使用して取引を行った際に該ＩＣカードに記録されている記録情報中に含まれている当該ＩＣカードをユニークに識別するカード固有情報を読み取り、該カード固有情報と当該取引に関する取引情報とを関連付けてデータベースに登録し、利用者が使用する端末装置から前記ＩＣカードを使用した過去の取引に関するレシートや領収書の発行または過去の取引情報の照会を要求された際に、当該利用者のＩＣカードに記録された前記カード固有情報に基づいて、前記データベースの登録情報を検索して、当該カード固有情報に関する取引情報を抽出するレシート・領収書発行方法。
（１０）前記データベースより抽出した前記カード固有情報に関する取引情報を、利用者が使用する前記端末装置に画面表示する上記（１）のレシート・領収書発行方法。
（１１）画面表示された前記取引情報を、利用者からの指示に応じて、あらかじめ定めた標準のフォーマットあるいは利用者から指定されたフォーマットにしたがったレシートまたは領収書の形式に編集して、印刷出力する上記（１０）のレシート・領収書発行方法。
（１２）前記ＩＣカードの前記カード固有情報は、FeliCa（登録商標）カードの製造番号であるＩＤｍ（Identifier manufacturing）またはＭＩＦＡＲＥ（登録商標）規格の個体識別情報であるＵＩＤ（Unique Identifier）のいずれかまたは双方からなる上記（９）ないし（１１）のいずれかのレシート・領収書発行方法。
（１３）上記（９）ないし（１２）のいずれかのレシート・領収書発行方法をコンピュータにより実行可能なプログラムとして実施するレシート・領収書発行プログラム。
（１４）上記（１３）のレシート・領収書発行プログラムをコンピュータにより読み取り可能な記録媒体に記録しているプログラム記録媒体。
【図面の簡単な説明】
【００６５】
【図１】本発明のレシート・領収書発行システムにおいて使用するＩＣカードの構成を示す概念図である。
【図２】本発明のレシート・領収書発行システムにおいて使用するＩＣカード内のＩＣチップに記録される情報の一例を示す説明図である。
【図３】本発明によるレシート・領収書発行システムのシステム構成の一例を示すシステム構成図である。
【図４】本発明によるレシート・領収書発行システムのデータベースサーバに登録される登録情報の一例を示す説明図である。
【図５】本発明によるレシート・領収書発行システムのシステム構成の図３とは異なる例を示すシステム構成図である。
【符号の説明】
【００６６】
１００      ＩＣカード
１０１      ＩＣカードの保持部材
１０２      ＩＣチップ
２００      ＩＣチップの記録情報
２０１      カード固有情報
２０２      サービスＡ情報
２０３      サービスＢ情報
３０１Ａ    ＩＣカード
３０１Ｂ    ＩＣカード
３０２Ａ    カード読取機
３０２Ｂ    カード読取機
３０３Ａ    上位装置
３０３Ｂ    上位装置
３０４Ａ    記憶装置
３０４Ｂ    記憶装置
３０５      データベースサーバ
３０６      回線網
４００      登録情報
４０１      カード固有情報
４０２      取引情報
５０１Ａ    ＩＣカード
５０１Ｂ    ＩＣカード
５０２Ａ    カード読取機
５０２Ｂ    カード読取機
５０３      上位装置
５０４      記憶装置
５０５      データベースサーバ
５０６      ローカルエリアネットワーク
５０７      領収書発行端末
５０８      記憶装置
５０９      プリンタ
【図１】
2010146054.tif 000003
【図２】
2010146054.tif 000004
【図３】
2010146054.tif 000005
【図４】
2010146054.tif 000006
【図５】
2010146054.tif 000007